(57)【要約】【課題】鍵の挿入が容易な錠の提供。【解決手段】錠１０が、鍵穴１３付きのフランジ部１１と、フランジ部１１から延びていて錠１０の取り付け部１を貫通しているスリーブ１２と、スリーブ１２の内側にあって鍵２０の操作によって往復回転運動するシャフト１７とを有する。フランジ部１１は、取り付け部１の外面３または内面４に圧接させるための後面部１５と、鍵穴１３の形成されている前面部１４とを有する。前面部１４と後面部１５とは、斜めに交差する位置関係にある。【選択図】図１
2016075052.tif 000002
【特許請求の範囲】
【請求項１】
内外面を有する錠取り付け部の前記内外面のいずれかに密着させる鍵穴付きのフランジ部と、前記フランジ部から延びて前記取り付け部を貫通するスリーブと、前記スリーブの内側にあって前記鍵穴に挿入された鍵の操作によって往復回転運動するシャフトとを有し、前記シャフトが爪金具を取り付け可能に形成されている錠であって、
前記フランジ部が、前記鍵穴の形成されている前面部と、前記いずれかの面に圧接させるための後面部とを有し、
前記前面部と前記後面部とが斜めに交差する位置関係にあることを特徴とする前記錠。
【請求項２】
前記シャフトは、前記錠の前記前面部に直交して前記鍵の挿入方向へ延びていて、前記後面部とは斜めに交差する位置関係にある請求項１記載の錠。
【請求項３】
前記錠取り付け部が可動壁および固定壁のいずれか一方の壁部であり、前記シャフトにはもう一方の壁部に対して前記鍵の操作によって係合離脱する前記爪金具が取り付けられ、前記爪金具は、前記シャフトに取り付けられる基端部と、前記基端部の反対端部であって前記シャフトの往復回転運動に伴って往復旋回運動する旋回端部とを有し、前記旋回端部が、前記もう一方の壁部に対して面接触した状態で係合できるように、前記基端部と前記旋回端部との間にねじり加工を施された部位を有する請求項１または２記載の錠。
【請求項４】
前記錠には、前記シャフトに取り付けられたベベルギアを介して往復回転運動するカムシャフトが使用され、前記カムシャフトに前記爪金具が取り付けられる請求項１または２記載の錠。
【発明の詳細な説明】
【技術分野】
【０００１】
本発明は、鍵を挿入して施錠、開錠する錠に関し、より詳しくは鍵の挿入が容易な錠に関する。
【背景技術】
【０００２】
垂直に立つ扉の前面に取り付ける錠であって、鍵穴がその前面に対して直交するように水平に延びているものは周知である。
例えば、特開２００２−４６５３号公報（特許文献１）に記載の防水型シリンダ錠は、扉の前面から後面に向かって延びる鍵穴が扉の前面に対して直交している。鍵は水平に保った状態で鍵穴に挿入する。
【先行技術文献】
【特許文献】
【０００３】
【特許文献１】特開２００２−４６５３号公報
【発明の概要】
【発明が解決しようとする課題】
【０００４】
従来の錠は、扉に対する錠の取り付け位置が床面に近い下方部分である場合や、天井に近い上方部分である場合であると、鍵を水平に持った状態で鍵穴に挿入するということが難しい。
本発明は、これらの場合においても鍵の挿入が容易となるように、従来の錠に改良を加えることを課題にしている。
【課題を解決するための手段】
【０００５】
前記課題を解決するために、本発明が対象とするのは、内外面を有する錠取り付け部の前記内外面のいずれかに密着させる鍵穴付きのフランジ部と、前記フランジ部から延びて前記取り付け部を貫通するスリーブと、前記スリーブの内側にあって前記鍵穴に挿入された鍵の操作によって往復回転運動するシャフトとを有し、前記シャフトが爪金具を取り付け可能に形成されている錠である。
【０００６】
本発明が特徴とするところは、前記フランジ部が、前記鍵穴の形成されている前面部と、前記いずれかの面に圧接させるための後面部とを有し、前記前面部と前記後面部とが斜めに交差する位置関係にあることにある。
【発明の効果】
【０００７】
本発明に係る錠は、垂直に立つ扉に取り付けるときに、鍵穴の形成されている前面部を斜め上方に向けたり、斜め下方にむけたりすることができる。前面部を斜め上方に向けてこの錠を床面に近い扉の下方部分に取り付けると、鍵を斜め上方から鍵穴に挿入することができるから、鍵を水平にして鍵穴に挿入する場合に比べて、鍵の挿入が容易になる。また、この錠を天井に近い扉の上方部分に取り付けるときには、前面部を斜め下方に向ければ、鍵を斜め下方から鍵穴に挿入することができて、鍵の挿入が容易になる。そのような錠ではまた、錠を回転させる操作も容易であって、鍵を操作するときに手首をひねるというようなトラブルの発生を防ぐことができる。したがって、本発明によれば、人間工学的に優れた錠を得ることができる。
【図面の簡単な説明】
【０００８】
図面は、本開示に係る本発明の特定の実施の形態を示し、発明の不可欠な構成ばかりでなく、選択的及び好ましい実施の形態を含む。
【図１】使用状態にある錠の斜視図。
【図２】（ａ），（ｂ），（ｃ）によって、図１の錠の側面形状と、前面形状と、後面形状とを示す図。
【図３】図２（ｂ）におけるＩＩＩ−ＩＩＩ線断面図。
【図４】図３のＩＶ−ＩＶ線断面図。
【図５】（ａ）は爪金具の側面図、（ｂ）は（ａ）のＶ−Ｖ線矢視図。
【図６】図５（ａ）の爪金具と対称な形状の爪金具を示す図。
【図７】実施態様の一例を示す図２（ａ）と同様な図。
【図８】図７の錠を後方から見たときの斜視図。
【発明を実施するための形態】
【０００９】
添付の図面を参照して、本発明に係る錠の詳細を説明すると、以下のとおりである。
【００１０】
図１は、使用状態にある錠１０の斜視図である。ただし、錠１０の取り付け部となる扉１と、扉１が開閉可能に取り付けられる固定壁２とは仮想線で示されている。錠１０は、垂直な可動壁であるその扉１に取り付けられていて、扉１が固定壁２に対して開閉する。扉１は、外面３と内面４とを有し、内面４から外面３に向かう方向は前方向であり、外面３から内面４に向かう方向は後方向である。錠１０は、扉１の外面３の側に位置するフランジ部１１と、フランジ部１１から扉１を貫通するように延びて扉１の内面４の側に位置するねじ溝（図示せず）付きのスリーブ１２とを有する。フランジ部１１は、鍵穴１３が形成されている前面部１４と扉１の外面３に圧接する後面部１５とを有する。なお、前面部１４は、鍵穴１３の周囲にあって平滑に形成されている部位を含んでいる。扉１の内面４の側では、スリーブ１２に螺合したナット１６がフランジ部１１と協働して、扉１を挟圧している。スリーブ１２からはシャフト１７が後方へ延出していて、そのシャフト１７にはナット１８によって爪金具１９の基端部１９ａが固定されている。爪金具１９は、基端部１９ａの反対端部である旋回端部１９ｂが固定壁２の内面２ａ（後記図２参照）に対して摺動可能に当接していて、扉１が固定壁２に対して施錠状態にある。鍵２０を矢印Ａで示す挿入方向に沿って斜め下方から鍵穴１３に挿入して時計方向Ｂへ回転させると、シャフト１７も時計方向Ｂへ回転する。シャフト１７が回転すると、爪金具１９は、旋回端部１９ｂが内面２ａを摺動しながら時計方向Ｂへ旋回して固定壁２から離脱し、扉１が開錠状態となる。
【００１１】
図２は、（ａ），（ｂ），（ｃ）によって、図１における錠１０の側面形状と、前面形状と、後面形状とを示している。
【００１２】
図２の（ａ）において、フランジ部１１は後面部１５が垂直な扉１の外面３に圧接している。フランジ部１１の前面部１４は、後面部１５に対して約３０°傾斜した状態にあって、鍵穴１３（図１，図２（ｂ）参照）が斜め下を向いている。後面部１５は、扉１の内面４の側においてスリーブ１２に螺合しているナット１６と協働して扉１を挟圧することによって、錠１０を扉１に固定している。爪金具１９は、旋回端部１９ｂが固定壁２の内面２ａに実質的に接触している。ここで実質的に接触しているということは、固定壁２に対して扉１を施錠状態に保つことができる程度に接触していることを意味する。この意味には、旋回端部１９ｂが内面２ａに実際に接触している場合の他に、旋回端部１９ｂと内面２ａとの間に隙間のある場合も含まれる。
【００１３】
図２（ａ）においてはまた、鍵２０を挿入方向Ａに沿って鍵穴１３に挿入する。挿入方向Ａは、フランジ部１１の前面部１４に直交している。シャフト１７の回転軸Ｐは、鍵２０の挿入方向Ａに一致していて、扉１と斜めに交差するように延びている。鍵２０を使用してシャフト１７を時計方向Ｂ（図１参照）へ回転させると、爪金具１９の旋回端部１９ｂは、シャフト１７を中心に時計方向Ｂへ旋回して仮想線で示された開錠状態になる。
【００１４】
図２の（ａ），（ｃ）において、スリーブ１２の下方部分には、爪金具１９の回転方向と回転角度とを規制するための、当該技術分野において慣用のカム板２１の一部分が見えている。
【００１５】
図２（ａ）において明らかなように、固定壁２は、天井２２につながっていて、錠１０は、その天井２２に近い扉１の上方部分に取り付けられている。ただし、鍵穴１３は、床面（図示せず）と対向するように斜め下方に向いている。それゆえ、錠１０では、従来技術のように鍵２０を水平方向から鍵穴１３に挿入するのではなくて、下方から上方に向かって挿入することができるから、扉１を開けようとする者にとって、鍵穴１３を見ることが容易であるばかりではなく、鍵２０を挿入することも、鍵２０を回転させることも容易になる。
【００１６】
錠１０は、それを天井２２に設けられた点検口等を開閉する蓋（図視せず）に取り付けることもできる。天井２２の蓋に取り付けられた錠１０では、鍵２０を常に下方から支えながら垂直に鍵穴１３に挿入するのではなくて、下方から上方に向かって斜め方向から鍵穴１３に挿入すればよいから、この場合においても鍵２０を挿入したり回転させたりする操作が容易になる。
【００１７】
錠１０はまた、床面（図示せず）に近い扉１の下方部分に取り付ける場合においても優れた効果を奏する。ただし、この場合には、錠１０の前面部１４が図２（ａ）の態様とは反対に斜め上方を向くように、錠１０を扉１に取り付ける。扉１を開けようとする者は、斜め下方を見れば鍵穴１３の位置を容易に知ることができる。また、鍵２０は、斜め上方から鍵穴１３に挿入することができるから、床面の近くで鍵２０を水平方向から鍵穴に挿入する場合と比べると、挿入する作業と回転する作業とが容易である。
【００１８】
このように作用する錠１０においては、前面部１４の後面部１５に対する傾斜角度が２０−５０°の範囲にあることが好ましい。傾斜角度が２０°よりも小さい場合や５０°よりも大きい場合には、鍵２０の挿入等の操作が容易であることを実感することが一般的には難しくなる。
【００１９】
図３は、図２（ｂ）におけるＩＩＩ−ＩＩＩ断面図である。錠１０では、鍵穴１３の奥に慣用のシリンダー錠２６が組み込まれている。シリンダー錠２６の後端部２７は、シャフト１７の前端部２８に回動不能に嵌合している。その前端部２８は、スリーブ１２の後端部２９に挿入されているカム板２１によって回転方向と回転角度とが規制されている。図１の状態にある錠１０であれば、その回転方向は時計方向Ｂであり、回転角度は９０°である。カム板２１は、スリーブ１２から抜け落ちることがないように止めねじ３１で支えられている。なお、本発明において、シリンダー錠２６は、鍵２０によって往復回転運動させることができるものあれば、どのようなものでもよい。図示例のピンタンブラー錠は、そのようなシリンダー錠２６の一例である。
【００２０】
図４は、図３のＩＶ−ＩＶ線切断面を示す図である。スリーブ１２に対してシリンダー錠２６の軸Ｐ（図３参照）を中心に回転可能に組み込まれたシャフト１７には、カムフォロワー３２が形成されている。カム板２１にはカムフォロワー３２の時計方向Ａへの動き（図１参照）を止める第１ストッパー部３３が形成されている。スリーブ１２には、カムフォロワー３２の反時計方向Ｃへの動き（図１参照）を止める第２ストッパー部３４ａが形成されている。したがって、シャフト１７とそれに取り付けられた爪金具１９の基端部１９ａとは、軸Ｐを中心に第１ストッパー部３３と第２ストッパー部３４ａとの間を往復回転運動し、扉１に対する施錠と開錠とを反復することができる。
【００２１】
図５の（ａ），（ｂ）は、図１において使用されている爪金具１９の側面図と、その側面図におけるＶ−Ｖ線矢視図とであって、図５では旋回端部１９ｂが水平面（図示せず）に置かれている。垂直に立った扉１に対して斜めに交差するように延びるシャフト１７（図２（ａ）参照）に取り付けられている爪金具１９は、それが施錠状態にあるときに旋回端部１９ｂが固定壁２の垂直な内面２ａに対して面接触（図２（ａ）参照）することができるように、基端部１９ａと旋回端部１９ｂとは、それらの間にねじり加工の施された部位１９ｃが存在することによって、互いに傾斜した関係にある。図５の（ｂ）の例でいえば、金属片でできた爪金具１９は、基端部１９ａと旋回端部１９ｂとの間に抑え加工の一つであるねじり加工が施されて部位１９ｃが形成されることにより、交角αが約３０°となるように基端部１９ａと旋回端部１９ｂとが互いに傾斜した関係にある。交角αは、錠１０のフランジ部１１における前面部１４の後面部１５に対する傾斜角度と同じであることが好ましい。なお、本発明では、爪金具１９をダイキャストや射出成形によって製造する場合であっても、爪金具１９にはねじり加工が施されているという。基端部１９ａには、シャフト１７に対する取り付け穴３６が形成されている。
【００２２】
図６は、図５（ａ）の爪金具１９と左右対称な関係にある爪金具３９の側面図である。この爪金具３９は、図１の右開きの扉１とは異なり、左開きの扉（図示せず）に使用される。爪金具３９が使用されるときの錠１０では、図４に示された止めねじ３１を外し、カム板２１を裏返した後に再び止めねじ３１をセットする。次に、図６の爪金具３９をシャフト１７に取り付けて鍵２０を往復回転運動させると、シャフト１７と爪金具３９とは、裏返しにしてあるカム板２１の第１ストッパー部３３と、スリーブ１２に形成されている第３ストッパー部３４ｂ（図４参照）との間を往復回転運動し、左開きの扉を固定壁に対して施錠状態または開錠状態にすることができる。
【００２３】
図７，８は、実施態様の一例である錠１１０についての図２（ａ）と同様な図と、錠１１０を斜め後方から見た斜視図とであって、錠１０に使用されている部材と同じ部材および錠１０における部位と同じ作用を有する部位については、図１，２と同じ参照符号が使用されている。なお、図７は後記爪金具１１９が取り付けられている錠１１０を示し、図８は爪金具１１９が取り付けられていない錠１１０を示している。
【００２４】
錠１１０は、フランジ部１１と、フランジ部１１から扉１を貫通して扉１の内面４の側へ延びるスリーブ１１２とを有する。スリーブ１１２には、鍵２０の挿入方向Ａへ延びるシャフト１７と、シャフト１７に取り付けられたベベルギア１４０と、べベルギア１４０とかみ合う平歯車１４１と、平歯車１４１と一体になって回転するカムシャフト１４２とが組み付けられている。カムシャフト１４２は、スリーブ１１２に固定された支持部材１４３によって支えられて、扉１と直交するように水平に延びている。カムシャフト１４２の端部には、ナット１４４とワッシャ１４５とを使用して爪金具１１９が取り付けられている。爪金具１１９は、基端部１１９ａと旋回端部１１９ｂとを有するものであるが、図１，５に明示の爪金具１９と異なり、当該技術分野において慣用の平板状のものであって、鍵２０を回転させると、固定壁２における垂直な内面２ａと平行な面内において旋回端部１１９ｂが旋回し、扉１を施錠状態にしたり、開錠状態にしたりすることができる。
【００２５】
このような錠１１０では、扉１が右扉であるか左扉であるかによって二種類の爪金具を使い分けるという必要がない。ただし、錠１１０では、ベベルギア１４０を介して爪金具１１９を旋回させるから、図１の扉１と固定壁２とであれば、鍵２０を時計方向Ｂへ回転させると爪金具１１９が反時計方向Ｃへ旋回して固定壁２と係合し、扉１が施錠状態となり、鍵２０を反時計方向Ｃへ回転させると爪金具１１９が時計方向Ｂへ旋回して固定壁２との係合を解いて扉１が開錠状態となる。
【００２６】
これまでに説明した本発明は、少なくとも以下のようにまとめることができる。
内外面を有する錠取り付け部の前記内外面のいずれかに密着させる鍵穴付きのフランジ部と、前記フランジ部から延びて前記取り付け部を貫通するスリーブと、前記スリーブの内側にあって前記鍵穴に挿入された鍵の操作によって往復回転運動するシャフトとを有し、前記シャフトが爪金具を取り付け可能に形成されている錠であって、前記フランジ部が、前記鍵穴の形成されている前面部と、前記いずれかの面に圧接させるための後面部とを有し、前記前面部と前記後面部とが斜めに交差する位置関係にある。
【００２７】
本発明には、少なくとも以下の実施態様がある。
（１）前記シャフトは、前記錠の前記前面部に直交して前記鍵の挿入方向へ延びていて、前記後面部とは斜めに交差する位置関係にある。
（２）前記錠取り付け部が可動壁および固定壁のいずれか一方の壁部であり、前記シャフトにはもう一方の壁部に対して前記鍵の操作によって係合離脱する前記爪金具が取り付けられ、前記爪金具は、前記シャフトに取り付けられる基端部と、前記基端部の反対端部であって前記シャフトの往復回転運動に伴って往復旋回運動する旋回端部とを有し、前記旋回端部が、前記もう一方の壁部に対して面接触した状態で係合できるように、前記基端部と前記旋回端部との間にねじり加工を施された部位を有する。
（３）前記錠には、前記シャフトに取り付けられたベベルギアを介して往復回転運動するカムシャフトが使用され、前記カムシャフトに前記爪金具が取り付けられる。
【符号の説明】
【００２８】
１    取り付け部（扉）
２    固定壁
３    外面
４    内面
１０    錠
１１    フランジ部
１２    スリーブ
１３    鍵穴
１４    前面部
１５    後面部
１７    シャフト
１９    爪金具
１９ａ    基端部
１９ｂ    旋回端部
１９ｃ    ねじり加工された部位
２０    鍵
１１０    錠
１１２    スリーブ
１１９    爪金具
１１９ａ    基端部
１１９ｂ    旋回端部
１４０    べベルギア
１４２    カムシャフト
【図１】
2016075052.tif 000003
【図２】
2016075052.tif 000004
【図３】
2016075052.tif 000005
【図４】
2016075052.tif 000006
【図５】
2016075052.tif 000007
【図６】
2016075052.tif 000008
【図７】
2016075052.tif 000009
【図８】
2016075052.tif 000010